(57)【要約】【課題】この発明は、構成簡易にして、実釣り時における釣り人の握持した手の接触防止と共に、バッテリ保護を実現し得るように構成するにある。【解決手段】カバー本体４０の壁部４０１の一端部に、バッテリ３０に取付けられる挿通孔４０３の形成されたバッテリ取付け部４０２を設け、そのバッテリ取付け部４０２の挿通孔４０３にバッテリ３０の接続コネクタ３４を挿入した状態で、カバー本体４０の壁部４０１でバッテリ３０の周囲の少なくとも一部を覆うように構成した。【選択図】      図１
2006254781.tif 000002
【特許請求の範囲】
【請求項１】
魚釣用バッテリに取付けられるバッテリ取付け部を有し、前記魚釣用バッテリの周囲の少なくとも一部を覆うカバー本体を具備することを特徴とするバッテリカバー部材。
【請求項２】
前記バッテリ取付け部には、前記魚釣用バッテリの給電部が挿通される挿通部が設けられることを特徴とする請求項１記載のバッテリカバー部材。
【請求項３】
前記バッテリ取付け部の挿通部は、孔形状又は凹形状に形成されることを特徴とする特徴とする請求項１又は２記載のバッテリカバー部材。
【請求項４】
魚釣用リールに対して着脱自在に装着される魚釣用バッテリと、
この魚釣用バッテリの周囲の少なくとも一部を覆うバッテリカバー部材と、
を具備したことを特徴とする魚釣装置。
【請求項５】
前記バッテリカバー部材は、前記魚釣用バッテを前記魚釣用リールに装着した状態で、これら魚釣用バッテリと魚釣用リールとの間に挟持されて配されることを特徴とする請求項４記載の魚釣装置。
【発明の詳細な説明】
【技術分野】
【０００１】
この発明は、例えば魚釣用リールの給電部に電力を供給するバッテリの周囲を覆うバッテリカバー部材及びバッテリカバー部材を備える魚釣装置に関する。
【背景技術】
【０００２】
最近、船釣等の深場あるいは沖合いでの釣においては、釣糸が巻回されるスプールを駆動用モータで駆動するいわゆる電動式の魚釣用リールが多く使用されている。このような電動リールのスプール駆動用モータに給電する段としては、バッテリ装置を釣り位置から離れた場所に設置し、長い給電コードを用いてスプール駆動用モータの内蔵されるリール本体に設けたバッテリ接続部に対して電力を給電する方式が知られている（例えば、特許文献１及び２参照。）。
【０００３】
ところが、このような長い給電コードを介して、魚釣用リールとこれから遠く離れたバッテリ装置とを接続する場合には、長い給電コード自体が邪魔になることに加え、魚の当たりを待ったり、あるいは誘い操作や魚の取込み操作の際に、その長い給電コードで釣竿の動きが制約され、誘い操作や魚の取込み操作等を思い通りに自由に行うことができず、操作性が劣るという不都合を有する。
【０００４】
そこで、電動式魚釣用リールのスプール駆動用モータに給電する段としては、バッテリケースを、リール本体の外部に着脱自在に外付け配置して、この外付け配置したバッテリケースより、リール本体に内装される給電部に給電する給電構造が考えられ、開発されている。
【０００５】
しかし、このような給電構造にあっては、バッテリが外部に露出されてリール本体に配される構成のために、単にリール本体に外付け配置するだけのものでなく、厳しい使用環境を考慮すると、各種の改良すべき不都合を有する。
【特許文献１】特開２００２−２７６７６号公報
【特許文献２】特開平１０−２１５７３７号公報
【発明の開示】
【発明が解決しようとする課題】
【０００６】
しかしながら、上記開発中の電動式魚釣用リールに給電する段では、リール本体を握持して釣りを行う際に、釣り人の手がバッテリに直接的に触れてしまい、発する熱により釣りに集中できなくなったり、実釣り時において、バッテリを釣り場の周囲にぶつけてしまう虞を有する。
【０００７】
この発明は、上記の事情に鑑みてなされたもので、構成簡易にして、実釣り時における釣り人の魚釣用リールを握持した手のバッテリとの接触防止と共に、バッテリ保護を実現し得るようにした魚釣用バッテリカバー部材及び魚釣装置を提供することを目的とする。
【課題を解決するための手段】
【０００８】
この発明は、魚釣用バッテリに取付けられるバッテリ取付け部を有し、前記魚釣用バッテリの周囲の少なくとも一部を覆うカバー本体を備えてバッテリカバー部材を構成した。
【０００９】
上記構成によれば、カバー本体は、魚釣用バッテリに対して、そのバッテリ取付け部が取付けられると、その壁部が魚釣用バッテリの周囲の少なくとも一部を覆った状態で配される。従って、例えば魚釣用バッテリが魚釣用リールに外付け配置された場合、釣り人がリール本体を握持すると、その壁部により、握持した手が魚釣用バッテリに直接的に接触するを阻止し、又、実釣り時において、魚釣用バッテリ自体が周囲部に直接的な当接するのを阻止する。
【００１０】
また、この発明は、魚釣用リールに対して着脱自在に装着される魚釣用バッテリと、この魚釣用バッテリの周囲の少なくとも一部を覆うバッテリカバー部材とを備えて魚釣装置を構成した。
【００１１】
上記構成によれば、バッテリカバー部材は、魚釣用リールに装着された魚釣用バッテリに対して、そのバッテリ取付け部が取付けられると、その壁部が魚釣用バッテリの周囲の少なくとも一部を覆った状態で配される。従って、釣り人が魚釣用リールを握持した場合、バッテリカバー部材の壁部により、釣り人の握持した手が魚釣用バッテリに直接的に接触するのが阻止され、又、実釣り時において、魚釣用バッテリ自体が周囲部に直接的に当接するのが阻止される。
【発明の効果】
【００１２】
以上述べたように、この発明によれば、構成簡易にして、実釣り時における釣り人の魚釣用リールを握持した手のバッテリとの接触防止と共に、バッテリ保護を実現し得るようにした魚釣用バッテリカバー部材及び魚釣装置を提供することができる。
【発明を実施するための最良の形態】
【００１３】
以下、この発明の実施の形態に係るバッテリカバー部材及び魚釣装置について、図面を参照して詳細に説明する。
【００１４】
図１及び図２は、この発明の第１の実施の形態に係るバッテリカバー部材及びバッテリカバー部材を備えた魚釣装置を示すもので、図１は、バッテリカバー部材を取付けた魚釣用バッテリ３０を、魚釣用リールに取付け前を示し、図２は、バッテリカバー部材を取付けた魚釣用バッテリ３０を魚釣用リールに取付けた状態を示す。
【００１５】
上記被カバー体である魚釣用バッテリ３０は、ケース本体３１が、収容部３１１と蓋部３１２で構成される。このケース本体３１を構成する収容部３１１及び蓋部３１２は、例えば合成樹脂材料で形成され、その内部に、例えばリチウムイオン電池等の電池本体３２及び充放電制御用制御部３３が収容されて相互間が接着や溶着等で接合され、密閉構造に合体される。
【００１６】
上記ケース本体３１の蓋部３１２には、筒状部３１３が上記ケース本体３１の上面（取付け面）の略中央部に設けられる。この筒状部３１３には、その内部に筒状部３１３の上方に開口する取付け穴部３１４が形成され、この取付け穴部３１４に上記制御部３３に電気的に接続される接続コネクタ３４の基端部側が接着剤またはパッキン部材３５を介して封止固定された状態で、その支持部を構成する筒状部３１３より上方へ向けて突設される。これにより、接続コネクタ３４は、ケース本体３１内に液密状態で位置決めされて固定され、しかも、堅牢に組付けることが可能となる。
【００１７】
接続コネクタ３４は、例えば可撓性を有する非導電性の樹脂材料で形成され、いわゆるソケット型コンセントを構成する一対の凹状接続端子３４１（図３参照）が設けられる。この凹状接続端子３４１は、その基端において、上記制御部３３に電気的に接続される。ここで、接続コネクタ３４は、ケース本体３１の内側面に液密状態で接着により固定されて取付けられた状態で、その先端部側が筒状部３１３から直接突出され、その凹状接続端子３４１が上記制御部３３に電気的に接続されることで、その配線系統の保護が図れて、上記魚釣用リールの後述するリール本体１０に配される接続コネクタ１６への繰り返し着脱操作を安定して行うことが可能となる。
【００１８】
また、上記蓋部３１２の筒状部３１３には、保持段を構成する、例えばナット部材３７が、接続コネクタ３４の周囲を囲むように回転自在に設けられる。このナット部材３７は、接続コネクタ３４と別体に形成され、その上端部に鍔状の操作部３７１が設けられ、その下端部が上記接続コネクタ３４の中間部に回転自在に支持される。
【００１９】
ここで、上記魚釣用バッテリ３０の装着される魚釣用リールについて説明する。即ち、リール本体１０には、その左及び右側板部１０１，１０２間にスプール１１が回転自在に配され（図２参照）、スプール１１には、駆動機構（モータ）が連結される。この上記駆動機構（モータ）は、上記バッテリ３０から得た電力によって駆動されて上記スプール１１を回転駆動し、釣糸の巻回を行う。また、このスプール１１は、例えばリール本体１０の右側板部１０２側に配されるハンドル１２の回転操作によっても、回転駆動され、釣糸の巻回が行われる。
【００２０】
上記リール本体１０には、上記駆動機構（モータ）及びマイクロコンピュータで構成される図示しない制御部が内装されると共に、その上面部に表示部１３及び操作部１４が設けられる。そして、このリール本体１０の下面部には、取付脚１５が、釣竿２０のリールシート２１に対応して設けられ、この取付脚１５を介して図示しないリールシートに装着されて釣竿２０に取付けられる。
【００２１】
そして、リール本体１０のハンドル１２を配した右側板部１０２に対しスプール１１を介して反対側に配した側板部である左側板部１０１には、延出部１０３が設けられ、この延出部１０３は、左側板部１０１からリール本体１０の左側方へ突出し、給電部を構成するバッテリ接続部１６が、その接続開口を竿尻方向に下向きに傾斜させて突設して配置される。
【００２２】
バッテリ接続部１６には、螺子部１７１の設けられた防水構造の口金部１７が設けられ、この口金部１７内には、例えば一対のピン形の凸状接続端子１７２が後述するバッテリ３０の接続コネクタ３４に対応して突設される（図３参照）。このバッテリ接続部１６は、その接続開口が口金部１７内において封止構造に設けられることで、これら口金部１７及びその周辺部からリール本体１０内に水等の流体が浸入するのを防止する、いわゆる液密構造に構成されている。
【００２３】
バッテリ接続部１６の凸状接続端子１７２は、上記リール本体１０に配される制御部（図示せず）を介して駆動機構（モータ）及び表示部１３に電気的に接続され、該バッテリ接続部１６に対して、上記バッテリ３０の接続コネクタ３４が装着されると、接続コネクタ３４の凹状接続端子３４１に電気的に接続されて、該バッテリ３０を介して給電される。この際、バッテリは、そのナット部材３７の操作部３７１が回転操作されて、その螺子を、上記リール本体１０のバッテリ接続部１６の口金部１７の螺子部１７１に螺合させて締付け、その下端部を接続コネクタ３４の中間部に係合させることで、その側壁が蓋部３１２の筒状部３１３に沿ってリール方向に移動案内され、上記リール本体に堅牢に取付けられる。
【００２４】
ここで、上記バッテリ３０のケース本体３１の周囲の少なくとも一部を覆うようにケース本体３１に装着されるバッテリカバー部材について説明する。
【００２５】
即ち、カバー本体４０には、図４及び図５に示すようにケース本体３１の周囲、例えば続コネクタ３４の配される上方から底部に至る周囲領域を覆うように板状のチタン合金、ステンレス、その他の鋼板等の金属材料や樹脂材料を用いて略コ字状の壁部４０１が設けられ、この壁部４０１の一端部には、バッテリ取付け部４０２が壁部４０１からバッテリ３０へ向けて突出するように設けられる。このバッテリ取付け部４０２には、挿通部、例えば挿通孔４０３が上記接続コネクタ３４に対応して挿通可能な大きさに設けられる。そして、このカバー本体４０の壁部４０１の一端部近傍には、折曲部４０４が、上記ケース本体３１の蓋部３１２の筒状部３１３に対応して設けられ、カバー本体４０の壁部４０１がバッテリ３０外側に沿うように形成される。
【００２６】
カバー本体４０の壁部形状としては、バッテリ３０の周囲領域全体を覆う壁部形状に形成してもよいが、例えば釣り人がリール本体１０を握持する際に手１００（図２参照）がバッテリ３０に接触するのを阻止したり、バッテリ３０の底部が周囲物に直接的にぶつかりを阻止するようにバッテリ３０の周囲の少なくとも一部を部を覆うように構成することで、有効な効果が期待される。
【００２７】
また、上記カバー本体４０の壁部の中間部には、別体の保持ベルト４１が上記挿通孔４０３に対して上記バッテリ３０の接続コネクタ３４を挿通させた状態で、該バッテリ３０のケース本体３１とともに巻付けられる（図５参照）。この保持ベルト４１には、例えばその両端部に周知のベルベット式ファスナ構造の雄及び雌止着部４１１，４１２が設けられ、この雄及び雌試着部４１１，４１２の着脱により、カバー本体４０とバッテリ３０のケース本体３１との位置決め及びバッテリ３０のカバー本体４０への支持を行う。
【００２８】
上記構成により、カバー本体４０は、その挿通孔４０３に上記バッテリ３０の接続コネクタ３４が挿通されると、その折曲部４０４を含む壁部４０１が、ケース本体３１の収容部３１１と蓋部３１２との周囲における所望の一部を覆うように位置された状態で、該挿通孔４０３を挿通させずにバッテリ取付け部４０２の内側に上記ナット部材３７の上面が当接される（図５参照）。この際、このカバー本体４０は、釣り人がリール本体３１を握持する位置等を考慮して、その手１００（図２参照）がバッテリ３０に直接的に接触するのを阻止可能なケース本体３１の周方向における位置が設定される。この状態おいて、バッテリ３０のケース本体３１に取付けられたカバー本体４０と、バッテリ３０のケース本体３１との間におけるカバー本体４０の壁部４０１の中間部には、上記保持ベルト４１が巻付けられて相互間の位置決めが行われる。
【００２９】
次に、カバー本体４０を取付けたバッテリ３０の挿通孔４０３を通ってバッテリ取付け部４０２の上方へした接続コネクタ３４を、上述したようにリール本体３１の接続コネクタ３４に接続させ、バッテリ３０のナット部材３７を回転操作して、その螺子をリール本体のバッテリ接続部１６の口金部１７の螺子部１７１に螺合させて締付ける。すると、カバー本体４０は、その一端部が、ナット部材３７の上面とリール本体１０の口金部１７の周囲部との間に挟装され、バッテリ３０とともに、リール本体１０に取付け配置される（図２参照）。カバー本体４０のバッテリ取付け部４０２は、板状に形成されており、バッテリ３０とリール本体１０との間に挟持されると安定して保持される。
【００３０】
これにより、釣り人がリール本体１０を握持して竿操作等を行う場合においても、図２に示すようにリール本体１０を握持した手１００が、カバー本体４０の壁部４０１により、バッテリ３０のケース本体３１や給電部側となる接続コネクタ３４やナット部材３７等に直接的に接触することが阻止され、例えばバッテリ３０の駆動に伴う熱の影響等を受けることが殆どない。また、実釣り時等における移動等の際、リール本体１０に外装されたバッテリ３０は、周囲物にぶつかった場合においも、その底面に配したカバー本体４０の壁部４０１がぶつかり、直接的に周囲物に当接されることがないことで、損傷等が防止される。
【００３１】
この際、ナット部材３７は、接続コネクタ３４とバッテリ接続部１６が接続された状態で、両者間の接続部となるバッテリ接続部１６の接続開口の周囲を覆って口金部１７の螺子部１７１に螺合されることで、ケース本体３１の接続コネクタ３４との間の液密構造を維持しつつ強固な一体構造に連結されて、このバッテリ接続部１６からリール本体１０内に水が浸入するのを防止する。
【００３２】
このように、上記バッテリカバー部材は、カバー本体４０の壁部４０１の一端部に、バッテリ３０に取付けられる挿通孔４０３の形成されたバッテリ取付け部４０２を設け、そのバッテリ取付け部４０２の挿通孔４０３にバッテリ３０の接続コネクタ３４を挿入した状態で、カバー本体４０の壁部４０１でバッテリ３０の周囲の少なくとも一部を覆うように構成した。
【００３３】
これによれば、バッテリ３０が魚釣用リールのリール本体１０に取付けられた状態で、釣り人がバッテリ３０の間にできた間隙に手を差し入れて左側板部１０１に手を添えてリール本体１０を握持すると、そのカバー本体４０の壁部４０１がバッテリ３０の外周でリール本体１０側に位置していることにより、握持した手１００がバッテリ３０に直接的に接触するのを阻止して、給電動作により発熱したバッテリ３０に触れることによる不快感の防止が図れて安定した釣り操作が可能となる。また、実釣り時においては、バッテリ自体が周囲部に直接的な当接するのを阻止して、バッテリ損傷の防止を図ることが可能となる。
【００３４】
また、上記魚釣装置は、魚釣用リールのリール本体３０に対して着脱自在に装着されるバッテリ３０の周囲の少なくとも一部をカバー本体４０で覆うように構成した。
【００３５】
これによれば、釣り人が魚釣用リールのリール本体１０を握持した場合、カバー本体４０の壁部４０１により、釣り人の握持した手１００がバッテリ３０に直接的に接触するのが阻止され、又、実釣り時において、魚釣用バッテリ自体が周囲部に直接的に当接するのが阻止される。これにより、把持した手１００が、給電動作により発熱したバッテリ３０に触れることによる不快感の防止が実現されて安定した釣り操作が可能となると共に、実釣り時におけるバッテリ損傷の防止を図ることが可能となる。よって、例えば壁部４０１は、バッテリ３０のナット部材３７や筒状部３１３のみを覆うように形成してもよい。
【００３６】
なお、この発明は、上記第１の実施の形態に限ることなく、その他、例えば図６乃至図９に示す第２の実施の形態、図１０及び図１２に示す第３の実施の形態の如く構成することも可能で、いずれの実施の形態においても上記第１の実施の形態と同様の効果を期待することができる。但し、これら図６乃至図１２においては、上記図１乃至図５と同一部分について同一符号を付して、その詳細な説明を省略する。
【００３７】
先ず、図６乃至図９に示す第２の実施の形態においては、カバー本体５０を、上記第１の実施の形態と同様に略コ字状の壁部５０１を形成して、この壁部５０１の両側に側壁５０２，５０３を立設し、バッテリ３０が収容可能な箱形状に形成する。そして、このカバー本体５０の壁部５０１の一端部にバッテリ取付け部５０４を設け、このバッテリ取付け部５０４には、挿通部として凹状（溝状）の挿通凹部５０５を設ける（図６及び図７参照）。そして、このカバー本体５０の一方の側壁の中間部には、保持ベルト５１の一端を取付ける。この保持ベルト５１の先端に、例えば雄止着部５１１を設け、この雄止着部５１１は、カバー本体５０の他方の側壁５０２に設けた雌止着部５１２に着脱自在に止着される。
【００３８】
上記構成により、カバー本体５０は、その一端部の挿通凹部５０５に上記バッテリ３０の接続コネクタ３４を挿通させた状態で、該バッテリ３０を側壁５０２，５０３間に収容させる。すると、バッテリ３０は、そのケース本体３１の収容部３１１と蓋部３１２との周囲の一部を開放した領域が、ケース本体５０の壁部５０１、側壁５０２，５０３により覆われた状態で、そのナット部材３７の上面が壁部５０１の挿通凹部５０５の内側に当接される（図８参照）。この際、このカバー本体５０は、リール本体１０を釣り人が握持する位置等を考慮して、バッテリ３０に対する周方向位置が設定される。この状態おいて、カバー本体５０の保持ベルト５１の先端部の雄止着部５１１が側壁の雌止着部５１２に接合されて、バッテリ３０をカバー本体５０の中間部に位置決めする。
【００３９】
次に、カバー本体５０を取付けたバッテリ３０の接続コネクタ３４を、上述したようにリール本体１０の接続コネクタ１６に接続させ、バッテリ３０のナット部材３７を回転操作して、その螺子をリール本体１０のバッテリ接続部１６の口金部１７の螺子部１７１に螺合させて締付ける。すると、カバー本体５０は、その一端部のバッテリ取付け部５０４が、ナット部材３７の上面とリール本体１０の口金部１７の周囲部との間に挟装され、バッテリ３０とともに、リール本体１０に取付け配置される（図９参照）。
【００４０】
これにより、釣り人がリール本体１０を握持して竿操作等を行う場合においても、図９に示すようにリール本体１０を握持した手１００が、カバー本体５０により、バッテリ３０のケース本体３１に直接的に接触することが阻止されて、例えばバッテリ３０の駆動に伴う熱の影響等を受けることが殆どなくなり、安定した釣り操作が可能となる。また、実釣り時等における移動等の際、リール本体１０に外装されたバッテリ３０は、周囲物にぶつかった場合においも、その底面に配したカバー本体５０の壁部５０１、側壁５０２，５０３一部がぶつかり、直接的に周囲物に当接されることがないことで、損傷等が防止される。
【００４１】
また、図１０乃至図１２に示す第３の実施の形態においては、上記第１の実施の形態におけるカバー本体４０の壁部４０１の一端部に上記バッテリ取付け部４０２に併設して、例えば第２のバッテリ取付け部４０５を、上記ケース本体３１の蓋部３１２の筒状部３１３の下端部に対応して設けて構成したものでる。そして、このバッテリ取付け部４０２及び第２のバッテリ取付け部４０５には、挿通部として、例えば溝状の挿通凹部４０６，４０７をそれぞれ設ける。
【００４２】
上記構成により、カバー本体４０は、その第２のバッテリ取付け部４０５の挿通凹部４０７に上記バッテリ３０の筒状部３１３の下端部を挿通させ、そのバッテリ取付け部４０２の挿通凹部４０６に上記バッテリ３０の接続コネクタ３４を挿通させると、その折曲部４０４を含む壁部４０１がケース本体３１の収容部３１１と蓋部３１２との周囲における所望の一部を覆うように取付けられる。この状態で、バッテリ取付け部４０２の挿通凹部４０の内側に上記ナット部材３７の上面が当接される（図１１参照）。この際、このカバー本体４０は、リール本体１０を釣り人が握持する位置等を考慮して、釣り人の手１０がバッテリ３０に直接的に接触するのを阻止可能なケース本体３１の周囲方向位置が設定される。この状態おいて、バッテリ３０のケース本体３１に取付けられたカバー本体４０と、バッテリ３０のケース本体３１との間におけるカバー本体４０の壁部の中間部には、上記保持ベルト４１が巻付けられて相互間の位置決めが行われる。
【００４３】
次に、カバー本体４０を取付けたバッテリ３０の接続コネクタ３４を、上述したようにリール本体の接続コネクタに接続させ、バッテリのナット部材を回転操作して、その螺子をリール本体１０のバッテリ接続部１６の口金部１７の螺子部１７１に螺合させて締付ける。すると、カバー本体４０は、その一端部のバッテリ取付け部４０２が、ナット部材３７の上面とリール本体１０の口金部１７の周囲部との間に挟装され、バッテリとともに、リール本体に取付け配置される（図１２参照）。
【００４４】
これにより、釣り人がリール本体０を握持して竿操作等を行う場合においても、図１２に示すようにリール本体１０を握持した手１００が、カバー本体４０の壁部４１により、バッテリ３０のケース本体３１に直接的に接触することが阻止され、例えばバッテリ３の駆動に伴う熱の影響等を受けることが殆どない。また、実釣り時等における移動等の際、リール本体１０に外装されたバッテリ３０は、周囲物にぶつかった場合においも、その底面に配したカバー本体４０の壁部４０１がぶつかり、直接的に周囲物に当接されることがないことで、損傷等が防止される。
【００４５】
なお、この第３の実施の形態では、挿通凹部４０６を有するバッテリ取付け部４０２及び挿通凹部４０７を有する第２のバッテリ取付け部４０５をカバー本体４０に設けて、これらバッテリ取付け部４０２及び第２のバッテリ取付け部４０５でバッテリ３０の接続コネクタ３４及び筒状部３１３の双方を差し込むように構成したが、これに限るものでなく、例えばいずれか一方でバッテリ３０に取付けてカバー本体４０をバッテリ３０の周囲を覆うように構成してもよい。
【００４６】
また、この発明は、上記各実施の形態で説明したカバー構造に限ることなく、その他、この発明の要旨を逸脱しない範囲で種々のカバー構造を構成することが可能である。
【００４７】
さらに、上記実施の形態では、挿通部として孔構造あるいは溝状の凹構造に形成した場合で説明したが、これに限ることなく、その他、各種形状構造のものを用いて構成することが可能である。また、カバー本体４０がバッテリ３０のリール側を覆うように取付けたが、リール本体１０を把持する手の位置やぶつかりやすい周囲物の位置に応じてバッテリ３０の適当位置を覆うように取付けることが可能である。
【００４８】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４９】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００５０】
【図１】この発明の第１の実施の形態に係るバッテリカバー部材及び魚釣装置のバッテリ装着前を示した一部断面図である。
【図２】図１のバッテリ装着状態を示した一部断面図である。
【図３】図２の要部を拡大して示した一部断面である。
【図４】図１のバッテリカバー部材をバッテリに取付ける前の状態を示した分解斜視図である。
【図５】図４のバッテリカバー部材の取付け状態を示した斜視図である。
【図６】この発明の第２の実施の形態に係るバッテリカバー部材を示した斜視図である。
【図７】図６のバッテリカバー部材とバッテリとの取付け前を示した分解斜視図である。
【図８】図６のバッテリカバー部材をバッテリに取付けた状態を示した一部断面図である。
【図９】図６のバッテリカバー部材を備えた第２の実施の形態に係る魚釣装置を示した一部断面図である。
【図１０】この発明の第３の実施の形態に係るバッテリカバー部材とバッテリとの関係を示した分解斜視図である。
【図１１】図１０のバッテリカバー部材をバッテリに取付けた状態を示した一部断面図である。
【図１２】図１０のバッテリカバー部材を備えた第３の実施の形態に係る魚釣装置を示した一部断面図である。
【符号の説明】
【００５１】
１０…リール本体、１００…、１０１…左側板部、１０２…右側板部、１０３…延出部、１１…スプール、１２…ハンドル、１３…表示部、１４…操作部、１５…取付脚、１６…バッテリ接続部、１７…口金部、１７１…螺子部、１７２…凸状接続端子、２０…釣竿、３０…バッテリ、３１…ケース本体、３１１…収容部、３１２…蓋部、３１３…筒状部、３１４…取付け穴部、３２…電池本体、３３…制御部、３４…接続コネクタ、３４１…凹状接続端子、３５…パッキン部材、３６…側壁、３７…ナット部材、３７１…操作部、４０…カバー本体、４０１…壁部、４０２…バッテリ取付け部、４０３…挿通孔、４０４…折曲部、４０５…第２のバッテリ取付け部、４０６，４０７…挿通凹部、４１…保持ベルト、４１１…雄止着部、４１２…雌止着部、５０…カバー本体、５０１…壁部、５０２，５０３…側壁、５０４…バッテリ取付け部、５０５…挿通凹部、５１保持ベルト、５１１…雄止着部、５１２…雌止着部、１００…手。
【図１】
2006254781.tif 000003
【図２】
2006254781.tif 000004
【図３】
2006254781.tif 000005
【図４】
2006254781.tif 000006
【図５】
2006254781.tif 000007
【図６】
2006254781.tif 000008
【図７】
2006254781.tif 000009
【図８】
2006254781.tif 000010
【図９】
2006254781.tif 000011
【図１０】
2006254781.tif 000012
【図１１】
2006254781.tif 000013
【図１２】
2006254781.tif 000014